(57)【要約】【課題】被加工面が傾斜していても、小型電動ドリル等での孔明けやタッピングを簡単に被加工面に対して直角に加工することにある。【解決手段】傾斜した被加工面に対しても直角に孔明けやタップが行えるように、携帯用ドリル１のドリル本体２に水準器３を３次元に傾転可能に自在継手４やフレキシブルジョイント等の継手手段を介して着脱可能に取り付けるようにしている。水準器３は、３次元に傾転可能に自在継手やフレキシブルジョイント等の継手手段４に取着し、ベルベットファスナーや磁石体等の着脱手段１３を介してドリル本体２に着脱可能に取り付けることができる。また、ドリル本体２のドリルチャック１４に直角芯出し具１５を挿着し、被加工面に上記直角芯出し具１５を当接して上記ドリル本体２に取り付けた水準器３を自在継手またはフレキシブルジョイント等の継手手段で水平状態にして携帯用ドリル１の芯出しをすることが好ましい。【選択図】    図１
2004358641.tif 000002
【特許請求の範囲】
【請求項１】
傾斜した被加工面に対しても直角に孔明けやタッピング加工が行えるように携帯用の電動ドリル等のドリル本体に水準器を３次元に傾転可能に自在継手やフレキシブルジョイント等の継手手段を介して着脱可能に取り付けるようにしたことを特徴とする水準器を着脱自在の携帯用ドリル。
【請求項２】
水準器を３次元に傾転可能に自在継手やフレキシブルジョイントの継手手段に取着して、ベルベットファスナーや磁石体等を介して携帯用のドリル本体に着脱可能に取り付けた請求項１に記載の水準器を着脱自在の携帯用ドリル。
【請求項３】
携帯用のドリル本体のドリルチャックに挿着する直角芯出し具であって、被加工面に上記直角芯出し具を直角に当接できて上記携帯用ドリル本体に取り付けた水準器を自在継手またはフレキシブルジョイントの継手手段で水平状態にして携帯用ドリルの直角位置決めをするようにした請求項１または２に記載の水準器を着脱自在の携帯用ドリル。
【請求項４】
携帯用のドリル本体のドリルチャックに挿着する直角芯出し具を開閉自在のクロス状等に形成した請求項３に記載の水準器を着脱自在の携帯用ドリル。
【発明の詳細な説明】
【０００１】
【発明の属する技術分野】
本発明は、ドリルやタップ加工分野における水準器を着脱自在の携帯用ドリルに関するものである。
【０００２】
【従来の技術】
部材を取り付けたり、組み上げたりするのに、携帯用の電動ドリルで孔明け加工したり、タッピング加工することが広く行われている。その被加工材に孔明けやタッピング加工を行う場合、ドリルが被加工面に垂直となるように電動ドリルを保持している。しかしながら、作業者は目測や勘によって電動ドリルを保持し、被加工面にドリルを当てて孔明けやタッピング加工をしているものであった。
【０００３】
【先行技術文献】
そこで、上記の技術について先行特許調査を行った結果、実公昭６−４５３４２号公報、特開平８−２１５９１０号公報、特開平７−２２３１０６号公報、実開平７−１５２０９号公報などが検索された。
【０００４】
上記前３者の公報には、いずれもドリル本体に水準器を一体的に装着してドリルの垂直方向や水平方向等に対して水準器をその傾斜角度を可変として、被加工面に垂直に孔明けすることが提案されている。また、後者の公報には、ドリル本体に固定用ボルトナットで固定し、その基台に磁石体を介して水準器を取り付けて垂直に孔明けすることが提案されている。
【０００５】
【発明が解決しようとする課題】
しかし、これらのものにあっては、いずれも被加工面の傾斜面に対して水準器を２次元で調整できても、傾斜角度を３次元で可変に設定できるものでなく、また他のドリルに取り付けられて自由に利用できるものでなく、多様な被加工面に対して自在に適用できるものが要望されていた。
【０００６】
【課題を解決するための手段】
本発明は、上記のような点に鑑みたもので、上記の課題を解決するために、傾斜した被加工面に対しても直角に孔明けやタッピング加工が行えるように携帯用の電動ドリル等のドリル本体に水準器を３次元に傾転可能に自在継手やフレキシブルジョイント等の継手手段を介して着脱可能に取り付けるようにしたことを特徴とする水準器を着脱自在の携帯用ドリルを提供するにある。
【０００７】
本発明の水準器を着脱自在の携帯用ドリルは、傾斜した被加工面に対しても直角に孔明けやタッピング加工が行えるように携帯用の電動ドリル等のドリル本体に水準器を３次元に傾転可能に自在継手やフレキシブルジョイント等の継手手段を介して着脱可能に取り付けるようにしたことを特徴としている。
【０００８】
携帯用ドリル１は、コードレスやコード付きの電動ドリルやタップ、手動用のものが適用できるもので、図１のようにドリル本体２の側面等に小型の水準器３をその方向を３次元に自在に傾転可能に自在継手やフレキシブル継手等の継手手段４を介して着脱自在に取り付けて、被加工材のいかなる傾斜面に対しても垂直にドリル５を対向できて孔明けやタップッピング加工ができるようにしている。
【０００９】
水準器３としては、薄状で小型状のものが好ましく、市場において入手可能なプラスチック容器に気泡の入った一体成形の安価なもの等を適用することができる。
【００１０】
また、継手手段４としては、図２（ａ）、（ｂ）のように取付台６にフック状の軸支部７を設けて旋回軸８を軸着し、この旋回軸８の中央に直角方向に水準器支持軸９を軸着してその先端部に水準器台１０を螺着し、この水準器台１０に水準器３を一体的に搭載して、水準器３を３次元に傾転できる自在継手等としているものである。
【００１１】
上記旋回軸８には固定ねじ１１、水準器支持軸９には締施ねじ１２をそれぞれ取着して水準器３を所定の傾斜角度でしっかりと固定状態にしておけるようにしている。なお、必要により弛み止めスプリングを装着することもできる。
【００１２】
そして、この継手手段４の取付台６を、ベルベットファスナーや磁石体、両面接着テープ等の着脱手段１３でドリル本体２の側面の適宜の位置に着脱可能に取付けるようにし、被加工面に直角に孔明けやタッピング加工を行えるようにしている。
【００１３】
そしてまた、図３、図４のようにドリル本体２のドリルチャック１４に直角芯出し具１５を挿着してドリル本体２を被加工面に直角に正確に位置決めできるようにしているとともに、その際上記した継手手段４を介して水準器３を水平状態に傾転して気泡を中央に位置し、直角芯だし具１５をドリル５に取り換えて挿着して、ドリル本体２を客観的に被加工面に対して直角に対向して加工できるようにしている。
【００１４】
その直角芯出し具１５としては、図３（ａ）、（ｂ）のように直交状に組み立て可能とした５０〜８０ｍｍの適宜の長さの脚材１６の中央に直角軸１７を垂直に螺着するようにし、図４のように直角軸１７をドリルチャック１４に挿着することによって、上記のようにドリル本体２を被加工面に直角に対向させるようにしている。
【００１５】
上記脚材１６の裏面側には、直角軸孔１８のまわりに軸対称状に突起１９をそれぞれ同一高さに突設し、突起１９を介して被加工面に当接するようにして当接面の凹凸面による誤差を回避するようにすることが好ましい。
【００１６】
なお、直角芯出し具１５は、このように直角状に組み立てるのが搬送や保管に便利で好ましいが、クロス状のものや、カップ状、ピラミッド状、その他、本発明の趣旨にもとづいて適宜な変形態様のものとすることができる。
【００１７】
また、継手手段４の自在継手の他に、フレキシブルなワイヤー等のフレキシブルジョイントとして水準器３を３次元に傾転可能とするようにもできる。
【００１８】
【実施例】
図１、図２は、本発明の一実施例を示すものである。小型電動ドリルの携帯用ドリル１は、図１のようにそのドリル本体２の側面に水準器３を自在継手の継手手段４を介してベルベットファスナーの着脱手段１３で着脱可能に取り付け、被加工面に対して常に直角に孔明けやタッピング加工が簡単に行えるようにしている。
【００１９】
継手手段４は、図２にもとづいて上記したように旋回軸８、水準器支持軸９を介して３次元に傾転でき、被加工面が水平面、垂直面に２次元状や３次元状に傾斜する面に対しても、上記した自在継手の継手手段４を介して水準器３を容易に水平状に旋回でき、このような水準器３の状態として被加工面に携帯用ドリル１を直角に対向して直角に孔明けやタッピング加工ができるものである。
【００２０】
そして、図４のように直角芯出し具１５の直角棒１７をドリル本体２のドリルチャック１４に挿着し、直角芯出し具１５を被加工面に当接すればドリル本体２を簡単に被加工面に直角に芯出しでき、上記したように水準器３を調整して水平状に設定して、直角芯出し具１５を取り外して所要のドリルやタップを挿着して加工していくことができる。なお、棒状グラインダー等を挿着して大径の開口面の内周面の修正を行う場合にも適用可能である。
【００２１】
このように水準器を３次元で傾転できるため、被加工面がいかなる傾斜面であっても、ドリル本体を傾斜面に直角に容易に対向できて孔明け、タッピング加工をすることができるとともに、ベルベットファスナーの簡易な着脱手段によって他の電動ドリルについても水準器を簡単に取り付けて使用できる。
【００２２】
また、ドリルチャックに直角芯出し具を挿着することによって、被加工面に簡単かつ正確に直角にドリル本体を位置決めすることができ、上記した水準器をより正確に水平に調整して孔明け、タッピング加工を行うことができる。
【００２３】
なお、上記した自在継手の構造は一実施例のもので、他のフック機構等のものも実施できるとともに、フレキシブル継手を利用して行うことができる。また、直角芯出し具も、上記実施例では分解してコンパクトに収容できて好ましいが、本発明の趣旨にもとづいて他の変形態様のものを実施することができる。
【００２４】
【発明の効果】
以上のように本発明にあっては、携帯用ドリルに水準器を３次元に傾転可能に自在継手やフレキシブルジョイント等の継手手段を介して着脱可能に取り付けるようにしたので、水準器を３次元的に傾転できて、被加工面が水平面、垂直面に二次元状や三次元状に傾斜する面に対しても、携帯ドリルを直角に対向できて被加工面に直角に孔明けやタッピング加工ができるものである。
【００２５】
そして、水準器を３次元に傾転可能に自在継手やフレキシブルジョイントの継手手段に取着して、ベルベットファスナーや磁石体等を介して携帯用のドリル本体に着脱可能に取り付けることによって、１の携帯用ドリルに限らず、他の携帯用ドリルにも同様に取り付けられて、上記のように作用、効果を奏する。
【００２６】
また、携帯用のドリル本体のドリルチャックにを挿着する直角芯出し具であって、被加工面に上記直角芯出し具を直角に当接できて上記携帯用ドリル本体に取り付けた水準器を自在継手またはフレキシブルジョイントの継手手段で水平状態にして携帯用ドリルの直角位置決めをするようにすることによって、被加工面に簡単かつ正確に直角にドリル本体を位置決めすることができ、上記した水準器をより正確に水平に調整して孔明け、タッピング加工を行うことができる。
【００２７】
さらに、携帯用ドリル本体のドリルチャックに挿着する直角芯出し具を開閉自在のクロス状等に形成することによって、直角芯出し具をコンパクトにでき、携帯や保管を容易に行えるものである。
【図面の簡単な説明】
【図１】本発明の一実施例の説明用正面図、
【図２】同上の水準器部の平面図（ａ）、と正面図（ｂ）、
【図３】同上の直角芯出し具の平面図（ａ）と分解図（ｂ）、
【図４】同上の使用状態説明図。
【符号の説明】
１…携帯用ドリル      ２…ドリル本体            ３…水準器
４…自在継手          ５…ドリルチャック      １３…着脱手段
【図１】
2004358641.tif 000003
【図２】
2004358641.tif 000004
【図３】
2004358641.tif 000005
【図４】
2004358641.tif 000006